(57)【要約】【課題】店舗等の建築物の一部を成す透明ガラスを、容易に透過映像を視聴可能な表示画面とすること。【解決手段】建築物の一部を成すガラス板６０と、該ガラス板６０表面と所定間隔を有するように対向配置され、入力映像を左右反転してガラス板６０表面に拡大投影する拡大投影機４と、から成り、ガラス板６０の拡大投影機４の配置位置と反対方向側から拡大映像を視認するための拡大投影ディスプレイ装置であって、ガラス板６０の表面に、透過する光を拡散する光拡散層６１を設ける。【選択図】図２
2009210778.tif 000002
【特許請求の範囲】
【請求項１】
建築物の一部を成すガラス板と、当該ガラス板表面と所定間隔を有するように対向配置され、入力映像を左右反転して前記ガラス板表面に拡大投影する拡大投影機と、から成り、前記ガラス板の前記拡大投影機の配置位置と反対方向側から拡大映像を視認するための拡大投影ディスプレイ装置であって、前記ガラス板表面に、透過する光を拡散する光拡散層を設けたことを特徴とする拡大投影ディスプレイ装置。
【請求項２】
前記反対方向側の前記ガラス板表面に、反射防止層を有することを特徴とする請求項１に記載の拡大投影ディスプレイ装置。
【請求項３】
前記光拡散層が光拡散フィルムにて形成されていることを特徴とする請求項１または２に記載の拡大投影ディスプレイ装置。
【請求項４】
前記光拡散フィルムが、前記ガラス板表面に静電気にて貼着されていることを特徴とする請求項３に記載の拡大投影ディスプレイ装置。
【請求項５】
前記光拡散フィルムが、略水平とされた光透過性が高い幅広の光透過層と、略水平とされた光透過性が低い幅狭の遮光層とが上下方向に交互配置された指向性フィルムであって、前記拡大投影機を、前記指向性フィルムの上下方向所定角度位置に配置したことを特徴とする請求項３または４に記載の拡大投影ディスプレイ装置。
【請求項６】
前記拡大投影機が、前記指向性フィルム上に傾斜投影される画面の変形を補正する補正機能を有することを特徴とする請求項５に記載の拡大投影ディスプレイ装置。
【請求項７】
前記入力映像の左右反転の実施／非実施を変更設定可能な遠隔操作端末を備えることを特徴とする請求項１〜６のいずれかに記載の拡大投影ディスプレイ装置。
【発明の詳細な説明】
【技術分野】
【０００１】
本発明は、建築物の一部を成すガラス板を通して、拡大投影された映像を視認可能とされた拡大投影ディスプレイ装置に関する。
【背景技術】
【０００２】
近年、液晶パネル等の表示デバイスの小型化、高精細化並びに高速動作化により、動画を表示可能な拡大投影機として、これら液晶パネルを搭載して、動画等を拡大表示可能なビデオプロジェクターが実用化されている。
【０００３】
これらビデオプロジェクターは、非常に大きな表示画面を、比較的小型の拡大投影機を用いて、比較的容易に形成できるので、拡大映像をスクリーン等の表示して、多くの人が同時に表示映像を視聴するための会議用の表示装置等として、利用されている（例えば、特許文献１参照）。
【０００４】
【特許文献１】特開２００３−１８６１０６号公報
【発明の開示】
【発明が解決しようとする課題】
【０００５】
これらのビデオプロジェクターは、上述したように、比較的小型の拡大投影機を用いて、非常に大きな表示画面を容易に形成できるので、例えば、集客や広告等を目的として、店舗等において、平坦性を有するウインドウガラスに、これら拡大投影機からの映像を投影することにより、店舗の外と通る通行人等に、ＣＭ映像や種々の番組コンテンツ等を提供できるようにすることが考えられるが、この場合、投影された画像がガラス上において、良好なコントラストを得ることができず、店舗の外部側からは視認しづらいばかりか、通常は、映像をスクリーン等に反射させて視聴するので、店舗の外部側から視聴する映像が、実際の映像と左右が反転した映像となってしまうという問題があった。
【０００６】
本発明は、このような問題点に着目してなされたもので、店舗等の建築物の一部を成すガラスを、容易に映像光の透過側から該映像を視聴可能な表示画面とすることのできる拡大投影ディスプレイ装置を提供することを目的とする。
【課題を解決するための手段】
【０００７】
上記課題を解決するために、本発明の請求項１に記載の拡大投影ディスプレイ装置は、
建築物の一部を成すガラス板と、当該ガラス板表面と所定間隔を有するように対向配置され、入力映像を左右反転して前記ガラス板表面に拡大投影する拡大投影機と、から成り、前記ガラス板の前記拡大投影機の配置位置と反対方向側から拡大映像を視認するための拡大投影ディスプレイ装置であって、前記ガラス板表面に、透過する光を拡散する光拡散層を設けたことを特徴としている。
この特徴によれば、ガラス板の表面に光拡散層を設けることで、良好なコントラストをガラス板上において得ることができるとともに、入力映像が左右反転して投影されるので、実際の映像を透過側から視聴することができ、よって、店舗等の建築物の一部を成すガラス板を、容易に映像光の透過側から該映像を視聴可能な表示画面とすることができる。
【０００８】
本発明の請求項２に記載の拡大投影ディスプレイ装置は、請求項１に記載の拡大投影ディスプレイ装置であって、前記反対方向側の前記ガラス板表面に、反射防止層を有することを特徴としている。
この特徴によれば、反対方向側からガラス板に入射する光による写り込みを低減できる。
【０００９】
本発明の請求項３に記載の拡大投影ディスプレイ装置は、請求項１または２に記載の拡大投影ディスプレイ装置であって、前記光拡散層が光拡散フィルムにて形成されていることを特徴としている。
この特徴によれば、光拡散層をガラス板表面の適宜な位置に容易に形成することができる。
【００１０】
本発明の請求項４に記載の拡大投影ディスプレイ装置は、請求項３に記載の拡大投影ディスプレイ装置であって、前記光拡散フィルムが、前記ガラス板表面に静電気にて貼着されていることを特徴としている。
この特徴によれば、光拡散フィルムが、該光拡散フィルムをガラスに貼着するための粘着剤層を有しないので、これら粘着剤層により透過する投影光の進路が変化して、映像が不鮮明となってしまうことを回避することができる。
【００１１】
本発明の請求項５に記載の拡大投影ディスプレイ装置は、請求項３または４に記載の拡大投影ディスプレイ装置であって、前記光拡散フィルムが、略水平とされた光透過性が高い幅広の光透過層と、略水平とされた光透過性が低い幅狭の遮光層とが上下方向に交互配置された指向性フィルムであって、前記拡大投影機を、前記指向性フィルムの上下方向所定角度位置に配置したことを特徴としている。
この特徴によれば、水平方向には光透過性が高いので、光拡散フィルム（指向性フィルム）を貼付しても、水平方向については、ガラスを通して反対側の様子を視認できるようになり、店舗等における防犯性の低下等の不都合を極力解消できるばかりか、拡大投影機からの投影光は、指向性フィルムの上下方向所定角度から入射するため、指向性フィルムにおいて光拡散がなされて良好なコントラストが得られるようになるので、これら映像の高コントラスト化とガラス板の透明性低下による不都合の解消とを両立することができる。
【００１２】
本発明の請求項６に記載の拡大投影ディスプレイ装置は、請求項５に記載の拡大投影ディスプレイ装置であって、前記拡大投影機が、前記指向性フィルム上に傾斜投影される画面の変形を補正する補正機能を有することを特徴としている。
この特徴によれば、投稿された映像画面が台形上に変形してしまうことを解消でき、映像を視認する人の違和感を解消することができる。
【００１３】
本発明の請求項７に記載の拡大投影ディスプレイ装置は、請求項１〜６のいずれかに記載の拡大投影ディスプレイ装置であって、前記入力映像の左右反転の実施／非実施を変更設定可能な遠隔操作端末を備えることを特徴としている。
この特徴によれば、例えば店舗において、雨天等により店舗外に人がおらず、店舗内に来店者が多くいる場合のような状況において、入力映像の左右反転を非実施とすることにより、これら店舗内に多くいる来店者向けの映像に適宜変更することができる。
【発明を実施するための最良の形態】
【００１４】
本発明の実施例を以下に説明する。
【実施例１】
【００１５】
本発明の実施例を図面に基づいて説明すると、先ず図1は、本発明の拡大投影ディスプレイ装置が適用された映像配信システムの構成を示すシステム構成図である。
【００１６】
本実施例の映像配信システムは、店舗であるコンビニエンスストアに設置された拡大投影ディスプレイ装置を成す店舗端末（ノートパソコン）３並びに液晶プロジェクタ４と、各コンビニエンスストアに設置された店舗端末３とインターネット網を介して接続され、配信センターに設置された配信管理サーバ１と、該配信管理サーバ１とインターネット網を介して接続された、各広告依頼者（クライアント）のコンピュータ端末５と、から主に構成されている。
【００１７】
配信管理サーバ１は、配信センターを管理する配信サービス会社により運営されており、該配信サービス会社は、各店舗（コンビニエンスストア）が集客を行うために、通行者等が興味を示す有用な番組コンテンツを各店舗（コンビニエンスストア）に提供するサービスを行うとともに、各広告依頼者（クライアント）からのＣＭ依頼を受けて当該広告依頼者（クライアント）のＣＭ映像を、各店舗（コンビニエンスストア）に配信して広告を行うサービスを提供する。
【００１８】
配信管理サーバ１は、通信装置２を介してインターネット網に接続されており、該インターネット網を介して、各コンビニエンスストアに設置された店舗端末３、並びに各広告依頼者（クライアント）のコンピュータ端末５との種々のデータ通信が可能とされている。
【００１９】
本実施例において各店舗であるコンビニエンスストアに設置された拡大投影ディスプレイ装置について、図２〜図５に基づいて説明すると、本実施例において拡大投影ディスプレイ装置は、図２に示すように、店舗の建築物の一部を成す、店舗前の通行路に臨むように設けられた店舗前側ウインドウの透明ガラス板６０と、該透明ガラス板６０に対して、上方向から投影が可能なように、店舗内の天井に設置された本発明の拡大投影機となる液晶プロジェクタ４と、コンビニエンスストアのレジカウンタ内等に、店員が視認並びに操作可能に設置された店舗端末（ノートパソコン）３と、から構成されている。
【００２０】
この透明ガラス板６０には、図２に示すように、液晶プロジェクタ４から投影される表示領域よりもやや大きな大きさとされた半透明の光拡散フィルム６１が貼着されている。
【００２１】
より詳細には、本実施例においては図５に示すように、透明ガラス板６０の透過側となる屋外面に光拡散フィルム６１が貼着されている。
【００２２】
この光拡散フィルム６１には、その外周部に、光拡散フィルム６１と透明ガラス板６０との貼着面に雨水等が進入することを防止するための粘着剤層６４が形成されているが、該外周部以外の映像が投影される光拡散フィルム６１の部分には、粘着剤層６４が形成されておらず、これら外周部分以外については、該光拡散フィルム６１を専用の剥離紙から剥離する際に発生する静電気により、透明ガラス板６０と密着するようになっている。
【００２３】
このように、本実施例では、映像が投影される部分に粘着材を存在させずに透明ガラス板６０の表面と光拡散フィルム６１の後述する鏡面とを密着させることで、光拡散フィルム６１を透過する投影光が粘着材や、透明ガラス板６０の表面との空隙により、透過する投影光の進路が変化して、映像が不鮮明となってしまうことを回避することができることから好ましいが、本発明はこれに限定されるものではなく、これら粘着材層が全面に形成された光拡散フィルム６１を使用しても良く、この場合においては、これら粘着材層に光拡散材を添加して、該粘着材層を光拡散層とするようにしても良い。
【００２４】
また、本実施例では、雨水等の進入を阻止するための粘着剤層６４を外周に設けているが、本発明はこれに限定されるものではなく、例えば、これら光拡散フィルム６１を透明ガラス板６０の屋内面に貼着する場合であれば、雨水等が侵入することがないので、これら粘着剤層６４を有しない構成としても良い。
【００２５】
これら光拡散フィルム６１としては、当該フィルムに入射する光を、当該フィルムを透過する光の透過量を大きく低下させることなく拡散するものであって、取り扱い可能な機械的強度を有するものであれば好適に使用することができ、本実施例では、その一面が非平滑面（マット面）加工されることにより光を拡散するとともに、当該フィルムに非平滑面（マット面）から入射する外光による写り込みを防止可能なポリエチレンテレフタレートフィルム（ポリエステルフィルム、厚み１００ミクロン）を使用している。
【００２６】
但し、本発明はこれに限定されるものではなく、光拡散フィルムとしては、これら非平滑面（マット面）ポリエステルフィルム以外のフィルムを用いても良いし、更には、これらフィルムではなく、例えば、太陽光電池パネルのカバーガラスのように、高い光透過性を有するとともに、非平滑面（マット面）を有する擦りガラスや型板ガラス、サンドブラスト処理或いはフッ酸処理によるタペストリーガラス、或いは、非平滑面（マット面）を有するプラスチック板や、微小なガラス粉等の光拡散材を内在するプラスチック板、或いは、これら光拡散材を含む塗膜により光拡散層を形成するようにしても良い。
【００２７】
つまり、本実施例のポリエステルフィルムの一面は非平滑面（マット面）とされ、他方の面は鏡面（平滑面）とされていて、この平滑面が透明ガラス板６０と静電気により密着するようになっており、非平滑面（マット面）が屋外面として露出することで、光拡散フィルム６１に入射する外光が、該非平滑面（マット面）により拡散されることにより、外光による写り込みによって、投影画像が見難くなってしまうことを防止できるようになっている。
【００２８】
尚、本実施例では、この非平滑面（マット面）が屋外に暴露されるため、該非平滑面（マット面）がほこり等により汚れることを防止することを目的として、該非平滑面（マット面）上に親水性層を形成しており、該親水性層によって汚れの付着を防止できるようになっている。尚、これら親水性層としては、光触媒により親水性を向上する公知の処理液や塗料等により形成すれば良い。また、光拡散フィルム６１が透明ガラス板６０の屋内面に貼着される場合については、これら親水性層を設けない構成としても良い。
【００２９】
次に、本実施例に用いた店舗端末（ノートパソコン）３と、液晶プロジェクタ４とについて詳述する。
【００３０】
本実施例において店舗端末３としては、図３に示すように、ノート型パソコンを使用しており、該店舗端末３は、店舗に設置された図示しないルータ等により、プロバイダを介してインターネット網に接続されているとともに、店内並びに店外に設置された図示しないスピーカ並びにアンプを含む店舗音響装置に接続されていて、映像音声等を該店舗音響装置に出力可能とされている。
【００３１】
また、本実施例に用いた店舗端末３としては、無線ＬＡＮ（Local Area Network）通信機能を備えたノートパソコンを使用しており、後述するように、同様に無線ＬＡＮ（Local Area Network）通信機能を備えた液晶プロジェクタ４との間において、非接触にて双方向のデータ通信が可能とされている。
【００３２】
また、本実施例の店舗端末（ノートパソコン）３には、該ノートパソコンを動作させるためのオペレーティングシステム（ＯＳ）プログラムとともに、該ＯＳプログラム上において動作する、液晶プロジェクタ４を遠隔コントロールするためのプロジェクタリモートユーテリティ（プログラム）が搭載されており、該プロジェクタリモートユーテリティ（プログラム）を実行することで、店舗端末（ノートパソコン）３にて液晶プロジェクタ４にて投影される映像の再生や停止、反転表示の実施・非実施等の操作を実施できるようになっている。
【００３３】
具体的に、本実施例の店舗端末（ノートパソコン）３の表示部３１には、プロジェクタリモートユーテリティ（プログラム）を実行することで、図４に示すユーテリティ画面が表示されるようになっており、該ユーテリティ画面上において各種の操作を実施できるようになっている。
【００３４】
本実施例のユーテリティ画面には、図４に示すように、液晶プロジェクタ４において投影されている、つまり、その時点において光拡散フィルム６１に表示されている表示映像が表示される再生映像表示部３２と、再生される番組コンテンツやＣＭ映像の再生スケジュールが表示されるスケジュール表示部３３、静止画像を表示させる場合や再生を停止する場合に操作される停止操作部３４、再生を開始や再開させる際に操作される再生操作部３５、外部出力される映像音声の音量を調節するための音量調節部３６、映像の左右反転を実施させないことで店内向けの反射映像を表示させるための店内操作部３７ａと、映像の左右反転を実施させることで店外向けの透過映像を表示させるための店外操作部３７ｂと、スケジュール表示部３３に表示されたスケジュールに同期した再生表示を実施させる際に操作される同期操作部３８、並びにスケジュール表示部３３に表示されたスケジュールの時間や再生順序等を変更する際に操作される編集操作部３９が設けられており、該ユーテリティ画面において投影表示中の映像や、その後において投影表示される番組コンテンツやＣＭコンテンツを把握することができるとともに、再生の開始や停止、並びに左右反転の実施・非実施等の各操作を実施できるようになっている。
【００３５】
また、本実施例の店舗端末（ノートパソコン）３は、配信管理サーバ１から配信される番組コンテンツやＣＭコンテンツの映像データや、スケジュールデータを記憶可能とされており、これらスケジュールデータに基づくスケジュールに応じて、映像データを液晶プロジェクタ４に送信して投影させるとともに、該送信に応じて映像音声を出力する。
【００３６】
次に、本実施例に用いた液晶プロジェクタ４について説明すると、本実施例の液晶プロジェクタ４は、透明ガラス板６０に沿って設けられている書籍ラックにて書籍を見ている来店者により、投影光が遮られることのなく光拡散フィルム６１に到達するように、光拡散フィルム６１の上方向所定角度の天井位置に、光拡散フィルム６１に向けて傾斜するように吊り下げ設置されている。
【００３７】
尚、本実施例では、店舗をコンビニエンスストアとしており、これらコンビニエンスストアにあっては、通行人の入店を喚起する等の理由から、店舗外から店舗内部を見通せるように、店舗の前面を透明ガラスとするとともに、その透明ガラスに沿って書籍ラックを配置することで、これら書籍ラックにて書籍を見ている来店者を店外から目視確認できるようにすることが通常において実施されているので、これら書籍ラックにて書籍を見ている来店者に投影光を遮られることがないようにするとともに、設置スペースを低減できることから、液晶プロジェクタ４を天井に配置するようにしているが、本発明はこれに限定されるものではなく、本実施例１のように指向性を有しない光拡散フィルム６１を使用する場合であって、投影の障害となるものが介在する可能性がない場合であれば、液晶プロジェクタ４を光拡散フィルム６１の貼付位置とほぼ水平位置に設置するようにしても良い。
【００３８】
本実施例の液晶プロジェクタ４は、図３に示すように、光源や、小型で高精細な液晶パネル並びに拡大投影するための光学レンズや放熱装置等からなるプロジェクターユニット４３、これらプロジェクターユニット４３の駆動制御を行う駆動回路４２、映像データに基づく映像を生成するＶＤＰ（Video Display Processor ）４６、店舗端末（ノートパソコン）３との無線ＬＡＮ通信を実施するための通信部４４、投影画像の台形歪みを補正するめに当該液晶プロジェクタ４の傾斜角度を検出するための重力センサ４５、光拡散フィルム６１の外周部の輝度により、屋外の明るさ状況を検知するための明度センサ４７、並びにこれらの各部に接続されて、液晶プロジェクタ４の動作や各機能の制御を行う制御部４１とを内蔵している。
【００３９】
尚、制御部４１には、液晶プロジェクタ４の動作や機能制御を、制御プログラムを実施することにより行うマイコンや、該マイコンが制御処理や受信した映像データ等の一時記憶等に使用するＲＡＭ、並びに制御プログラムを格納するＲＯＭ等が搭載されている。
【００４０】
制御部４１は、通信部４４にて店舗端末（ノートパソコン）３から受信した映像データをＶＤＰ４６に出力し、該ＶＤＰ４６にて左右反転の実施・非実施により映像化処理された映像信号が駆動回路４２に出力されることで、映像データに基づく映像がプロジェクターユニット４３から投影される。
【００４１】
尚、図４に示すユーテリティ画面には、投影される映像の焦点等を調節する操作部が表示されていないが、本実施例の店舗端末（ノートパソコン）３においては、所定のキー操作を実施することにより表示される図示しない映像調整画面において、画面の大きさや、焦点、並びに画面の歪み等を調整することができ、該映像調整画面における調整データが制御部４１に送信されることで、制御部４１が、接続されているプロジェクターユニット４３を制御して、画面の大きさや、焦点、並びに画面の歪み等を調整データに合致した状態に変更する。
【００４２】
また、制御部４１は、重力センサ４５により検知した傾斜角度に応じて、自動的に投影する画面の形状を補正する。つまり、検出した傾斜角度が大きくなるに従って、上部側の横幅方向をより拡大し、下部側の横幅方向をより縮小するように画像を補正することで、傾斜投影された画像が台形画面とならないように自動的に補正する。尚、透明ガラス板６０が傾斜している場合等については、自動的に補正されないので、この場合には、前述した映像調整画面において調整することになる。
【００４３】
さらに制御部４１は、プロジェクターユニット４３から投影される投影光の強度を、外部の明るさに応じて変化させて、消費電力を抑えるようになっている。具体的には、光学レンズを有することで、離れた被測定物の一部分の明るさを測定可能とされた明度センサ４７により、投影光が入光せずに外光のみが入光する光拡散フィルム６１の外周部の１領域（本実施例では、上部辺の隅部位置の領域）の明るさを逐次検知し、該検知した明るさに応じて、投影光の強度を適宜変化させる。
【００４４】
つまり、日中において光拡散フィルム６１に直射日光が当たっており、明度センサ４７にて検知した明るさが明るい場合には、投影光の強度を高めることで、これら直射日光が当たっている場合についても、投影された映像を良好に視認できる一方、曇天や夜であって、明度センサ４７にて検知した明るさが暗い場合には、投影光の強度を下げることで、消費電力を抑えつつ、視聴し易い映像を表示できるようになっている。
【００４５】
次いで、配信センターに設置されている本実施例に用いた配信管理サーバ１について説明すると、本実施例の配信管理サーバ１は、図６に示すような構成とされ、配信管理サーバ１の内部にてデ−タの送受を行うデ−タバス１００に、広告依頼者のコンピュータ端末５からの広告依頼の受付け処理や、ＣＭ映像を受付けて登録する登録処理、各店舗における番組スケジュールや広告スケジュール等の表示スケジュール管理、広告費用の算出処理や、番組コンテンツの映像データ並びに受付けたＣＭ映像データや、表示スケジュールを各店舗の店舗端末３に対して配信する配信処理等の各種処理を処理プログラムに基づいて実施する中央演算処理装置（ＣＰＵ）１０１や、該ＣＰＵ１０１のワークメモリ等に使用されるＲＡＭ１０２や、現在の時刻情報や任意年月日の曜日等のカレンダ−情報を出力可能なリアルタイムクロック（ＲＴＣ）１０７や、キーボード等の入力装置１０６並びにディスプレイ等の表示装置１０４と、通信装置２に接続されてデータの送受信を行う通信インターフェイス１０３と、ハードディスク装置等から成り、前記中央演算処理装置（ＣＰＵ）１０１が実施する各種処理プログラムや、各店舗端末３のインターネットアドレスや当該店舗の住所、時間帯毎のＣＭ単価やスケジュールデータ等が登録されている店舗データベース（ＤＢ）や、広告依頼者のクライアント情報並びにユーザＩＤやパスワード等が登録されている依頼者ＤＢや、各店舗の店舗端末３へのＣＭ映像や表示スケジュールデータ等の配信履歴等が登録されている配信履歴データベース（ＤＢ）や、広告依頼者（クライアント）から受付けたＣＭ映像データが登録されているＣＭコンテンツデータベース（ＤＢ）等が記憶されている記憶装置１０５と、が接続された比較的演算能力に優れたサーバ用コンピュ−タとされている。
【００４６】
以下、配信管理サーバ１にてＣＭ映像（ＣＭコンテンツ）が、広告依頼者より受付けられ、該受付けられたＣＭ映像（ＣＭコンテンツ）が各店舗の店舗端末３に配信され、これら各店舗において表示される流れについて、図７並びに図８〜図１２の各広告依頼者（クライアント）のコンピュータ端末５において表示される各表示ページを参照して説明する。
【００４７】
まず、本実施例の配信管理サーバ１にアクセスした場合には、図８に示すメインメニューページが表示され、予めユーザー登録した広告依頼者である会員ユーザーのみが、各会員ユーザーに発行されているＩＤとパスワードを入力することで、該入力されたＩＤとパスワードとが各会員ユーザーのＩＤとパスワード等が登録されている依頼者データベース（ＤＢ）の登録内容と一致するかが比較されて、該比較が一致した場合に配信管理サーバ１にログインできるようになっている。
【００４８】
また、前記会員ユーザー以外のその他のアクセス者であって、新たに会員登録を実施したいアクセス利用者は「新規会員登録申し込み」を選択入力して、ユーザー登録ページに移り、該ユーザー登録ページにて法人の名称や担当者名や住所や電子メール等の企業情報とともに、希望するＩＤとパスワードを入力してユーザー登録を行う。
【００４９】
該ユーザー登録にて入力されたユーザー登録情報は、ＩＤとパスワードが既に登録されている利用者のものと重複しないか否かとともに、新規申し込み者が不適切な法人として登録されていないかが確認されて審査され、当該審査において問題が無ければＩＤとパスワードが新規申し込み者に対して図示しない発行ページにより発行される。
【００５０】
前記ＩＤとパスワードの入力によりログインした会員ユーザーは、図９に示すメニュー選択ページにおいて所望するメニューを選択する。このメニュー選択ページには、既に依頼済みの広告のスケジュールや、広告内容の変更の実施並びに広告の実施を所望する店舗の空き時間帯確認等を行うことのできる「スケジュール確認」の項目と、新規の広告のアップロードや、店舗並びに広告時間帯の選択並びに事前の費用確認を行うことのできる「新規広告依頼」の項目と、が設けられている。
【００５１】
まず、前記「スケジュール確認」の項目を選択入力した場合には、図１０に示すスケジュール確認ページが表示され、会員ユーザー（広告依頼者）が希望する項目を選択できるようになっている。
【００５２】
このページにおいて、会員ユーザーが過去に広告の依頼をしていて、その依頼内容を確認したい場合には、「依頼済み広告」の項目を選択入力する。該入力により図１１に示すスケジュール確認ページ（２）に、その会員ユーザーに該当する広告内容が前記依頼者ＤＢより抽出されて表示される。ここで、より詳細に広告の実施スケジュール（期間や時間帯等）を確認したい場合には、「スケジュール表示」を入力することで、該広告に対応するスケジュールデータが前記店舗ＤＢに登録されている該当する店舗のスケジュールデータより抽出されて個別に表示されるようになっている。
【００５３】
また、「依頼済み広告」項目以外の「広告内容変更」項目を選択した場合には、その会員ユーザーの依頼済み広告の一覧が表示され、その中から修正したい広告を選択し、変更の種別（ＣＭ映像の変更、店舗の追加或いは変更・削除、時間帯の追加或いは変更・削除、期間の延長・短縮等）を選択して該当する種別の変更を実施することができるようになっている。
【００５４】
また、前記スケジュール確認ページにおいて、「店舗別ＣＭスケジュール」項目を選択入力した場合には、店舗の一覧が当該店舗の所在地、おおよその通過人口数並びにＣＭ単価等の情報とともに表示され、会員ユーザーは、その中から所望する店舗を選択し、該選択した店舗のスケジュールを確認できるようになっている。
【００５５】
次いで、前記メニュー選択ページにおいて「新規広告依頼」を選択入力した場合においては、図示しないアップロードページが表示され、既に登録してあるＣＭ映像の確認とともに、新たなＣＭ映像の登録（アップロード）を実施できるようになっている。
【００５６】
つまり、本実施例のアップロードページには、「アップロード」のメニュー項目と、「登録済みＣＭ確認」のメニュー項目とが設けられており、「アップロード」を選択した場合には、配信管理サーバ１よりＣＭ映像のファイルのディレクトリを指定するアップロードページが配信され、会員ユーザーは該アップロードページにおいて新たなＣＭ映像データのファイルを指定して、当該ページ内の「アップロード」を選択入力することで、該選択されたＣＭ映像データがＣＭコンテンツＤＢに、会員ＩＤに対応付けて登録される。
【００５７】
また、前記にて「登録済みＣＭ確認」を選択した場合においては、当該会員ＩＤに対応付けてＣＭコンテンツＤＢに登録されているＣＭ映像データのタイトルが全て抽出されて、該タイトル一覧ページが配信、表示されるとともに、これらタイトル一覧ページから１つのＣＭ映像データを選択して、当該ページ内の「内容確認」を選択操作することで、該選択したＣＭ映像データが再生映像が配信されることで、当該選択したＣＭ映像データの内容を確認することがきるようになっている。
【００５８】
例えば、これらＣＭ映像データの確認により、登録が済んでいないＣＭ映像によるＣＭを実施したい場合には、前記アップロードページに移行して新たなＣＭ映像データのアップロードを実施した後、該登録したＣＭ映像データによる広告（ＣＭ）を実施させる店舗と実施時間帯とを、図１３に示すスケジュール選定ページにおいて指定する。
【００５９】
本実施例のスケジュール選定ページには、全ての店舗を選択可能なポップアップウインドウが設けてあり、会員ユーザーは該ポップアップウインドウより所望する店舗、例えば、ＣＭを実施したい地域や通行人の規模やＣＭ料金等の条件により等により、「店舗検索」のメニューを選択することにより表示される店舗検索ウインドウにて検索し、該検索した店舗の中から所望する店舗を選択する。
【００６０】
この選択の際、検索ウインドウにおいては、詳細情報のメニューが設けられており、選択しようとする店舗に関する詳細情報を確認することができるようになっている。また、検索ウインドウにおいては複数の店舗を選択することもできるが、個々のスケジュール設定については、個々の店舗毎に実施する。
【００６１】
また、前記ポップアップウインドウ（検索ウインドウにおいて選択した場合も同じ）より、ＣＭの実施を所望する店舗を選択した場合には、該選択された店舗の広告スケジュールがページの下部領域にカレンダー表示されるとともに、デフォルトで当日の各時間帯の空き状況が該カレンダー表示の横領域に時間テーブルとして表示される。
【００６２】
尚、この時間テーブルにおいて実施されている番組の内容等を確認したい場合には、所望する時間テーブル上の時間帯領域を選択することで、当該時間帯において当該店舗にて表示される番組の内容（タイトルや簡単な内容説明）が表示されることで、該時間帯において表示されている番組を確認することができる。
【００６３】
また、これら番組の詳細については、会員ユーザーに対して、別途、番組の詳細情報が逐次、番組情報メールをとして予め配信されることで、会員ユーザーは予め番組の詳細情報を確認しておくことができるようになっている。
【００６４】
ここで、当日以外の各時間帯のスケジュールを確認したい場合には、希望する日付を前記カレンダー上にて選択することで、選択した日付のスケジュールが表示される。尚、表示月以前または以後の月を表示させる場合には、表示カレンダー上の「前月」、「次月」を選択入力すれば良い。
【００６５】
これらスケジュール表示に基づき、登録ユーザーは希望する店舗の空き時間帯を確認し、広告希望開始日、と広告期間並びに広告時間帯を選択入力する。尚、本実施例においては、「複数選択」を入力することで、同一の店舗において複数の広告時間帯を選択できるようになっている。
【００６６】
これら各選択項目の選択を終えた後に、前記スケジュール選定ページの下部に設けられている「費用明細表示」を選択する。
【００６７】
該「費用明細表示」の選択に基づき、図示しない費用明細ページが表示され、前記スケジュール選定ページにて選択した内容に基づく費用が算出され、見積もりとして表示されるようになっている。
【００６８】
会員ユーザーは、この費用内容を確認して問題なければ「広告申し込み」を選択することで、広告依頼の受付がなされる。
【００６９】
これら受付けられた依頼内容は、前記依頼者ＤＢならびに店舗ＤＢに更新登録され、スケジュール管理プログラムにおいてスケジュールに異常がないか（重複の有無）が確認された後、新規ＣＭのＣＭ映像データと更新後のスケジュールデータとがデータ配信プログラムにより、選択された店舗の店舗端末３に配信されるとともに、該配信履歴が配信履歴ＤＢに登録されて後日会員ユーザーへの請求がなされるようになっている。
【００７０】
これら配信管理サーバ１より配信されたＣＭ映像データ並びにスケジュールデータは、インターネット網を通じて店舗端末３へ配信され、該配信データが店舗端末３に記憶され、これらスケジュールデータに基づき、該当する時間帯のＣＭ期間において、該配信されたＣＭ映像データが液晶プロジェクタ４に送信されることで、該配信されたＣＭ映像データに基づく映像が、投影表示されるようになる。
【００７１】
尚、番組コンテンツデータについては、配信管理サーバ１より予め配信して、店舗端末３に記憶しておいても良いし、投影表示する時間帯に合わせてほぼ同時期にストリーミング配信するようにしても良い。
【００７２】
また、これら番組映像やＣＭ映像の投影中において、天候（雨天）等により、屋外に通行人が殆どおらず、店舗内にのみ人が存在する場合においては、前述した、図４に示すユーテリティ画面の店内操作部３７ａを操作することで、左右反転が非実施とされた映像を投影させることで、これら店舗内にいる来店客が、投影映像を良好に見られるようにし、天候が回復して屋外に通行人が多く存在するようになってきた場合には、ユーテリティ画面の店外操作部３７ｂを操作することで、左右反転が実施された映像を投影させることで、屋外の通行人が投影映像を良好に見られるようにすれば良い。
【実施例２】
【００７３】
次に、本発明の実施例２について以下に説明する。本実施例２は、透明ガラス板６０に貼付される光拡散フィルムの構成や貼付面が異なるのみで、その他、店舗端末３や液晶プロジェクタ４の構成等は実施例１と同一であるので、本実施例２の特徴である光拡散フィルムの構成等について、図１３に基づいて以下に説明する。
【００７４】
本実施例２の拡大投影ディスプレイ装置を成す透明ガラス板６０には、図１３に示すように、その屋内側の面に、水平方向に透明性が高く、上下方向には透明性が低い指向性を有する指向性フィルム８０が、実施例１と同様に静電気により、透明ガラス板６０に貼着されている。
【００７５】
また、透明ガラス板６０の屋外面には、外光の反射を防止するための反射防止コート層が形成されており、実施例１と同様に、外光の反射による写り込みにより、透過映像が見難くなってしまうことを防止できるようになっている。
【００７６】
この反射防止コート層としては、ガラス表面の反射を防止するための公知の膜、例えば、光の半波長分の厚みの膜をコートすることで、光の干渉により反射する光の強度を低減する等のものを使用することができ、好ましくは、屋外に暴露されることから、耐候性に優れるものを使用することが好ましい。
【００７７】
本実施例に用いた指向性フィルム８０は、図１３の拡大図に示すように、表裏面を成すカバーフィルム８３，８４の間に、略水平とされた光透過性が高い幅広の光透過層８１と、略水平とされた光透過性が低い幅狭の遮光層８２とが上下方向に交互配置されたマイクロルーバーフィルムが狭持された構成とされており、当該マイクロルーバーフィルムの光透過層８１に沿った水平方向には、遮光層８２により透過する光が遮断されないことで高い透明性を有する一方、マイクロルーバーフィルムの上下方向には、遮光層８２により透過する光が遮断されるとともに、これら遮光層８２により光が乱反射されることで、透明性が非常に低いものとされるようになっている。
【００７８】
これら光透過層８１や遮光層８２の幅やマイクロルーバーフィルムの厚み等については、これが大きいと、透過映像が不連続になってしまうとともに良好な光拡散を得ることができなくなるので、これらの幅や厚みについては、液晶プロジェクタ４からの投影光の入射角度や、使用する光透過層８１の材質の光透過度等により適宜に選択すれば良いが、例えば、光透過層８１の幅は５０ミクロンメートル以下で、遮光層８２の幅は１０ミクロンメートル以下で、マイクロルーバーフィルムの厚みは１ミリ以下であることが好ましい。
【００７９】
つまり、このように、水平方向に高い透明性を有することで、映像の投影が実施されていない場合においては、従来の透明ガラス板６０とほぼ同様に、透明ガラス板６０に沿って店舗内に設けられている書籍ラックにて書籍を見ている来店客等の店舗内の様子を、屋外の通行人は目視することができるので、入店喚起効果の低下や防犯性が低下する等の不都合を極力解消しつつ、店舗内の天井に設けられた液晶プロジェクタ４からの投影光は、図１３に示すように、これら指向性フィルム８０の上方側から入射するので、該入射する投影光については、指向性フィルム８０内において乱反射により拡散されることで良好なコントラストが得られるようになるので、実施例１の光拡散フィルム６１と同様に、屋外にいる通行人は、透過画像を良好に視認することができるようになる。
【００８０】
すなわち、本実施例の指向性フィルム８０を光拡散フィルムとして用いることで、これら映像の高コントラスト化と透明ガラス板６０の透明性低下による不都合の解消とを両立することができるようになる。
【００８１】
尚、本実施例２では、指向性フィルム８０を透明ガラス板６０の屋内面に貼着するようにしているが、本発明はこれに限定されるものではなく、これら指向性フィルム８０を実施例１の光拡散フィルム６１と同様に屋外面に貼着するようにしても良い。
【００８２】
また、遮光層８２としては完全に光りを遮断するものである必要はなく、光透過層８１に比較して光りの透過性が低いものであれば良い。逆にこれら遮光層８２としてアルミ箔等の金属薄膜を用いるようにして、遮光層８２にて投影光がほぼ全反射されるようにしても良い。
【００８３】
以上、各実施例によれば、透明ガラス板６０の表面に光拡散層となる光拡散フィルム６１を設けることで、良好なコントラストを透明ガラス板６０上において得ることができるとともに、入力映像がＶＤＰ４６により左右反転して投影されるので、実際の映像を透過側となる屋外側から視聴することができ、よって、店舗等の建築物の一部を成す透明ガラス板６０を、容易に映像光の透過側から該映像を視聴可能な表示画面とすることができる。
【００８４】
また、各実施例によれば、光拡散フィルム６１の屋外に臨む面を非平滑面（マット面）としたり、透明ガラス板６０の屋外面に反射防止コート層を設けたりすることにより、投影映像の投影側と反対方向側となる屋外側から透明ガラス板６０に入射する光による写り込みを低減できる。
【００８５】
また、各実施例によれば、光拡散層が光拡散フィルム６１或いは指向性フィルム８０にて形成されており、透明ガラス板６０表面の適宜な位置に光拡散層を容易に形成することができる。
【００８６】
また、各実施例によれば、光拡散フィルム６１が、該光拡散フィルムを透明ガラスに貼着するための粘着剤層を有しないので、これら粘着剤層により透過する投影光の進路が変化して、映像が不鮮明となってしまうことを回避することができる。
【００８７】
また、実施例２によれば、指向性フィルム８０は水平方向には光透過性が高いので、指向性フィルム８０を貼付しても、水平方向については、透明ガラス板６０を通して反対側の様子を視認できるようになり、コンビニエンスストア（店舗）等における防犯性の低下等の不都合を極力解消できるばかりか、液晶プロジェクタ４（拡大投影機）からの投影光は、指向性フィルム８０の上下方向所定角度から入射するため、指向性フィルムにおいて光拡散がなされて良好なコントラストが得られるようになるので、これら映像の高コントラスト化と透明ガラス板６０の透明性低下による不都合の解消とを両立することができる。
【００８８】
また、各実施例によれば、液晶プロジェクタ４（拡大投影機）が、設置角度に応じて画面の変形を補正する画面補正機能を有しているので、投稿された映像画面が台形上に変形してしまうことを解消でき、映像を視認する人の違和感を解消することができる。
【００８９】
また、各実施例によれば、例えばコンビニエンスストア（店舗）において、雨天等によりコンビニエンスストア（店舗）外に人がおらず、コンビニエンスストア（店舗）内に来店者が多くいる場合のような状況において、入力映像の左右反転を非実施とすることにより、これら店舗内に多くいる来店者向けの映像に適宜変更することができる。
【００９０】
以上、本発明の実施例を図面により説明してきたが、具体的な構成はこれら実施例に限られるものではなく、本発明の要旨を逸脱しない範囲における変更や追加があっても本発明に含まれる。
【００９１】
例えば、上記実施例では、投影される映像コンテンツやスケジュールデータを、インターネット網にて配信するようにしているが、本発明はこれに限定されるものではなく、これら映像コンテンツやスケジュールデータを、例えば地上波デジタル放送により、単方向にて各店舗に対し、一斉配信するようにしても良い。
【００９２】
また、前記実施例では、店舗端末３を用いて、店舗において投影映像や、液晶プロジェクタ４（拡大投影機）の管理、操作を実施できるようにしているが、本発明はこれに限定されるものではなく、これら液晶プロジェクタ４（拡大投影機）をインターネット網に直接接続し、該液晶プロジェクタ４（拡大投影機）を配信管理サーバ１にて直接管理するようにしても良い。
【００９３】
また、前記実施例における番組コンテンツとしては、どのような番組であっても良く、これら番組を、緊急地震速報や緊急ニュース等としても良く、このようにすることで、街頭において緊急地震速報や緊急ニュースを一般の人々が認知することができるようになる。
【００９４】
また、前記各実施例では、建築物の一部を成すガラス板として、店舗の内部の様子を外部から目視確認できる透明な透明ガラス板６０を例示しているが、本発明はこれに限定されるものではなく、これらガラス板としては、完全に透明でなく、内部の様子が視認しずらい非透明性のガラスであっても良く、この場合には、透明ガラスに比較して投影される画像のコントラストは高くなるが、十分なコントラストを得られない場合が多く、これら非透明性のガラスであっても本発明の光拡散層となる光拡散フィルム６０や指向性フィルム８０を更に設けることで、より高い映像のコントラストを得られるようになる。
【図面の簡単な説明】
【００９５】
【図１】本発明の実施例１における映像配信システムの構成を示すシステム構成図である。
【図２】本発明の実施例１の店舗（コンビニエンスストア）における拡大投影ディスプレイ装置を成す液晶プロジェクタの設置状況を示す図である。
【図３】本発明の実施例１の拡大投影ディスプレイ装置を成す液晶プロジェクタ４並びに店舗端末３の構成を示すブロック図である。
【図４】本発明の実施例１に用いた店舗端末３の表示部３１に表示されるユーテリティ画面を示す図である。
【図５】本発明の実施例１の拡大投影ディスプレイ装置を成す透明ガラス板６０の構成を示す図である。
【図６】本発明の実施例１の映像配信システムに用いた配信管理サーバ１の構成を示すブロック図である。
【図７】本発明の実施例１において用いた配信管理サーバ１における全体の処理内容を示す図である。
【図８】本発明の実施例１において用いた配信管理サーバ１におけるメインメニューページを示す図である。
【図９】本発明の実施例１において用いた配信管理サーバ１におけるメニュー選択ページを示す図である。
【図１０】本発明の実施例１において用いた配信管理サーバ１におけるスケジュール確認ページを示す図である。
【図１１】本発明の実施例１において用いた配信管理サーバ１におけるスケジュール確認ページ（２）を示す図である。
【図１２】本発明の実施例１において用いた配信管理サーバ１におけるスケジュール選定ページを示す図である。
【図１３】本発明の実施例２の拡大投影ディスプレイ装置を成す透明ガラス板６０の構成を示す図である。
【符号の説明】
【００９６】
１            配信管理サーバ
２            通信装置
３            店舗端末
４            液晶プロジェクタ
５            コンピュータ端末
３１          表示部
３２          再生映像表示部
３３          スケジュール表示部
３４          停止操作部
３５          再生操作部
３６          音量調節部
３７ｂ        店外操作部
３７ａ        店内操作部
３８          同期操作部
３９          編集操作部
４１                 制御部
４２          駆動回路
４３          プロジェクターユニット
４４          通信部
４５          重力センサ
４６          ＶＤＰ
４７          明度センサ
６０          該透明ガラス板
６１          光拡散フィルム
６４          粘着剤層
８０          指向性フィルム
８１          光透過層
８２          遮光層
８３          カバーフィルム
８４          カバーフィルム
１００        デ−タバス
１０１        中央演算処理装置（ＣＰＵ）
１０２        ＲＡＭ
１０３        通信インターフェイス
１０４        表示装置
１０５        記憶装置
１０６        入力装置
１０７        リアルタイムクロック（ＲＴＣ）
【図１】
2009210778.tif 000003
【図２】
2009210778.tif 000004
【図３】
2009210778.tif 000005
【図４】
2009210778.tif 000006
【図５】
2009210778.tif 000007
【図６】
2009210778.tif 000008
【図７】
2009210778.tif 000009
【図８】
2009210778.tif 000010
【図９】
2009210778.tif 000011
【図１０】
2009210778.tif 000012
【図１１】
2009210778.tif 000013
【図１２】
2009210778.tif 000014
【図１３】
2009210778.tif 000015